(57)【要約】【課題】ハンドオーバの失敗や不要なハンドオーバの低減および負荷分散効果を図る。【解決手段】通信制御装置１は、基準セルと当該基準セルのハンドオーバ対象となる調整セルについて、基準セルに接続している端末装置におけるハンドオーバを行うための基地局装置への測定結果の通知条件として、基準セルの受信品質を基準とした閾値より基準セルに接続されている端末装置における基準セルの受信品質が小さいという条件を設定し、調整セルに接続している端末装置におけるハンドオーバを行うための基地局装置への測定結果の通知条件として、基準セルの受信品質を基準とした閾値より調整セルに接続されている端末装置における基準セルの受信品質が大きいという条件を設定する条件設定部１１１と、前記測定結果の通知条件を端末装置に設定するための情報を送信する通信部１０３−１〜１０３−Ｎと、を備える。【選択図】図２
2013077964.tif 000002
【特許請求の範囲】
【請求項１】
基準のセルである基準セルと当該基準セルのハンドオーバ対象となるセルである調整セルについて、前記基準セルに接続している端末装置におけるハンドオーバを行うための基地局装置への測定結果の通知条件として、前記基準セルの受信品質を基準とした閾値より前記基準セルに接続されている端末装置における前記基準セルの受信品質が小さいという条件を設定し、前記調整セルに接続している端末装置におけるハンドオーバを行うための基地局装置への測定結果の通知条件として、前記基準セルの受信品質を基準とした閾値より前記調整セルに接続されている端末装置における前記基準セルの受信品質が大きいという条件を設定する条件設定部と、
前記条件設定部により設定した前記測定結果の通知条件を端末装置に設定するための情報を送信する通信部と、
を備えたことを特徴とする通信制御装置。
【請求項２】
前記条件設定部は、さらに、前記基準セルに接続している端末装置におけるハンドオーバを行うための基地局装置への測定結果の通知条件として、前記基準セルの受信品質を基準とした閾値より前記基準セルに接続されている端末装置における前記基準セルの受信品質が小さく、且つ、前記基準セルに接続されている端末装置における前記調整セルの受信品質が隣接セルの許容受信品質より大きいという条件を設定する、
ことを特徴とする請求項１に記載の通信制御装置。
【請求項３】
前記条件設定部は、さらに、前記調整セルに接続している端末装置におけるハンドオーバを行うための基地局装置への測定結果の通知条件として、前記調整セルに接続されている端末装置における前記調整セルの受信品質が最低限の通信を許容する前記調整セルの許容受信品質より小さいという条件を設定する、
ことを特徴とする請求項１または請求項２に記載の通信制御装置。
【請求項４】
前記条件設定部は、さらに、前記調整セルに接続している端末装置におけるハンドオーバを行うための基地局装置への測定結果の通知条件として、前記調整セルに接続されている端末装置における前記調整セルの受信品質が最低限の通信を許容する前記調整セルの許容受信品質より小さく、且つ、前記調整セルに接続されている端末装置における前記基準セルの受信品質が最低限の通信を許容する隣接セルの許容受信品質より大きいという条件を設定する、
ことを特徴とする請求項１から請求項３のいずれか１項に記載の通信制御装置。
【請求項５】
基準のセルである基準セルと当該基準セルのハンドオーバ対象となるセルである調整セルについて、前記基準セルから前記調整セルへのハンドオーバの実施を決定する条件として、前記基準セルの受信品質を基準とした閾値より前記基準セルに接続されている端末装置における前記基準セルの受信品質が小さいという条件を設定し、前記調整セルから前記基準セルへのハンドオーバの実施を決定する条件として、前記基準セルの受信品質を基準とした閾値より前記調整セルに接続されている端末装置における前記基準セルの受信品質が大きいという条件を設定する条件設定部と、
前記条件設定部により設定した前記ハンドオーバの実施を決定する条件を基地局装置に設定するための情報を送信する通信部と、
を備えたことを特徴とする通信制御装置。
【請求項６】
前記条件設定部は、さらに、前記基準セルから前記調整セルへのハンドオーバの実施を決定する条件として、前記基準セルの受信品質を基準とした閾値より前記基準セルに接続されている端末装置における前記基準セルの受信品質が小さく、且つ、前記基準セルに接続されている端末装置における前記調整セルの受信品質が隣接セルの許容受信品質より大きいという条件を設定する、
ことを特徴とする請求項５に記載の通信制御装置。
【請求項７】
前記条件設定部は、さらに、前記調整セルから前記基準セルへのハンドオーバの実施を決定する条件として、前記調整セルに接続されている端末装置における前記調整セルの受信品質が最低限の通信を許容する前記調整セルの許容受信品質より小さいという条件を設定する、
ことを特徴とする請求項５または請求項６に記載の通信制御装置。
【請求項８】
前記条件設定部は、さらに、前記調整セルから前記基準セルへのハンドオーバの実施を決定する条件として、前記調整セルに接続されている端末装置における前記調整セルの受信品質が最低限の通信を許容する前記調整セルの許容受信品質より小さく、且つ、前記調整セルに接続されている端末装置における前記基準セルの受信品質が最低限の通信を許容する隣接セルの許容受信品質より大きいという条件を設定する、
ことを特徴とする請求項５から請求項７のいずれか１項に記載の通信制御装置。
【請求項９】
前記条件設定部は、さらに、セル選択の条件として、前記基準セルの受信品質を基準とした閾値を前記基準セルにおけるセル選択の閾値とする条件を設定し、
前記通信部は、前記条件設定部により設定したセル選択の条件を端末装置に設定するための情報を送信する、
ことを特徴とする請求項１から請求項８のいずれか１項に記載の通信制御装置。
【請求項１０】
前記条件設定部は、さらに、異バンドサーチと異システムサーチのうちの一方または両方に関して、前記基準セルに接続している端末装置における基地局装置への測定結果の通知条件として、前記基準セルの受信品質を基準とした閾値に一定値を加算したものより前記基準セルの受信品質が小さいという条件を設定し、
前記通信部は、前記条件設定部により設定した前記測定結果の通知条件を端末装置に設定するための情報を送信する、
ことを特徴とする請求項１から請求項９のいずれか１項に記載の通信制御装置。
【請求項１１】
通信制御装置の条件設定部が、基準のセルである基準セルと当該基準セルのハンドオーバ対象となるセルである調整セルについて、前記基準セルに接続している端末装置におけるハンドオーバを行うための基地局装置への測定結果の通知条件として、前記基準セルの受信品質を基準とした閾値より前記基準セルに接続されている端末装置における前記基準セルの受信品質が小さいという条件を設定し、前記調整セルに接続している端末装置におけるハンドオーバを行うための基地局装置への測定結果の通知条件として、前記基準セルの受信品質を基準とした閾値より前記調整セルに接続されている端末装置における前記基準セルの受信品質が大きいという条件を設定し、
前記通信制御装置の通信部が、前記条件設定部により設定した前記測定結果の通知条件を端末装置に設定するための情報を送信する、
ことを特徴とする通信制御方法。
【請求項１２】
通信制御装置の条件設定部が、基準のセルである基準セルと当該基準セルのハンドオーバ対象となるセルである調整セルについて、前記基準セルから前記調整セルへのハンドオーバの実施を決定する条件として、前記基準セルの受信品質を基準とした閾値より前記基準セルに接続されている端末装置における前記基準セルの受信品質が小さいという条件を設定し、前記調整セルから前記基準セルへのハンドオーバの実施を決定する条件として、前記基準セルの受信品質を基準とした閾値より前記調整セルに接続されている端末装置における前記基準セルの受信品質が大きいという条件を設定し、
前記通信制御装置の通信部が、前記条件設定部により設定した前記ハンドオーバの実施を決定する条件を基地局装置に設定するための情報を送信する、
ことを特徴とする通信制御方法。
【請求項１３】
通信制御装置の条件設定部が、基準のセルである基準セルと当該基準セルのハンドオーバ対象となるセルである調整セルについて、前記基準セルに接続している端末装置におけるハンドオーバを行うための基地局装置への測定結果の通知条件として、前記基準セルの受信品質を基準とした閾値より前記基準セルに接続されている端末装置における前記基準セルの受信品質が小さいという条件を設定し、前記調整セルに接続している端末装置におけるハンドオーバを行うための基地局装置への測定結果の通知条件として、前記基準セルの受信品質を基準とした閾値より前記調整セルに接続されている端末装置における前記基準セルの受信品質が大きいという条件を設定するステップと、
前記通信制御装置の通信部が、前記条件設定部により設定した前記測定結果の通知条件を端末装置に設定するための情報を送信するステップと、
をコンピュータに実行させるための通信制御プログラム。
【請求項１４】
通信制御装置の条件設定部が、基準のセルである基準セルと当該基準セルのハンドオーバ対象となるセルである調整セルについて、前記基準セルから前記調整セルへのハンドオーバの実施を決定する条件として、前記基準セルの受信品質を基準とした閾値より前記基準セルに接続されている端末装置における前記基準セルの受信品質が小さいという条件を設定し、前記調整セルから前記基準セルへのハンドオーバの実施を決定する条件として、前記基準セルの受信品質を基準とした閾値より前記調整セルに接続されている端末装置における前記基準セルの受信品質が大きいという条件を設定するステップと、
前記通信制御装置の通信部が、前記条件設定部により設定した前記ハンドオーバの実施を決定する条件を基地局装置に設定するための情報を送信するステップと、
をコンピュータに実行させるための通信制御プログラム。
【発明の詳細な説明】
【技術分野】
【０００１】
本発明は、通信制御装置、通信制御方法および通信制御プログラムに関する。
【背景技術】
【０００２】
まず、ハンドオーバについて説明する。
携帯電話の通信規格の一つであるＬＴＥ（Ｌｏｎｇ  Ｔｅｒｍ  Ｅｖｏｌｕｔｉｏｎ）では、下りリンクのパイロット信号における受信品質（ＲＳＲＱ：Ｒｅｆｅｒｅｎｃｅ  Ｓｉｇｎａｌ  Ｒｅｃｅｉｖｅｄ  Ｑｕａｌｉｔｙ、もしくは、ＲＳＲＰ：Ｒｅｆｅｒｅｎｃｅ  Ｓｉｇｎａｌ  Ｒｅｃｅｉｖｅｄ  Ｐｏｗｅｒ）（非特許文献１参照。）に基づき端末装置が送信する測定情報（ＭＲ情報：Ｍｅａｓｕｒｅｍｅｎｔ  Ｒｅｐｏｒｔ  情報）を、基地局装置が受信することを契機として、ハンドオーバ処理が実施される。
【０００３】
具体的には、端末装置は、基地局装置が送信する下りリンクのパイロット信号であるＣＲＳ（Ｃｅｌｌ−Ｓｐｅｃｉｆｉｃ  Ｒｅｆｅｒｅｎｃｅ  Ｓｉｇｎａｌ）を元に下りリンクにおける受信品質を測定し、「測定値が一定閾値より大きくなる」、「測定値が一定閾値より小さくなる」、または「隣接セルの測定値と接続セルの測定値との差が一定閾値より大きくなる」などの所定の条件を満たした場合に、ＭＲ情報を接続セルに通知する（非特許文献２参照。）。
これらの条件はＭＲ情報の種類により異なる。
【０００４】
ここで、ＭＲ情報を送信する条件の一例（７種類の例）を示す。この例は、ＬＴＥの仕様である。
この例において、Ｍｓは接続セルの受信品質であり、Ｈｙｓはヒステリシス値であり、Ｍｎは隣接セルの受信品質であり、Ｏｆｎは特定の隣接セルに対する周波数に応じたオフセット値であり、Ｏｃｎは特定の隣接セルに対するセルに応じたオフセット値であり、Ｏｆｓは接続セルに対する周波数に応じたオフセット値であり、Ｏｃｓは接続セルに対するセルに応じたオフセット値である。
【０００５】
また、ａ１＿Ｔｈｒｅｓｈｏｌｄは（Ａ１  ＭＲ）の情報の送信を決定する閾値であり、ａ２＿Ｔｈｒｅｓｈｏｌｄは（Ａ２  ＭＲ）の情報の送信を決定する閾値であり、ａ３＿Ｏｆｆｓｅｔは隣接セルに対するオフセットであり、ａ４＿Ｔｈｒｅｓｈｏｌｄは（Ａ４  ＭＲ）の情報の送信を決定する閾値であり、ａ５＿Ｔｈｒｅｓｈｏｌｄ１とａ５＿Ｔｈｒｅｓｈｏｌｄ２はそれぞれ（Ａ５  ＭＲ）の情報の送信を決定する閾値であり、ｂ１＿Ｔｈｒｅｓｈｏｌｄは（Ｂ１  ＭＲ）の情報の送信を決定する閾値であり、ｂ２＿Ｔｈｒｅｓｈｏｌｄ１とｂ２＿Ｔｈｒｅｓｈｏｌｄ２はそれぞれ（Ｂ２  ＭＲ）の情報の送信を決定する閾値である。
【０００６】
（Ａ１  ＭＲ）の条件
Ｍｓ−Ｈｙｓ  ＞  ａ１＿Ｔｈｒｅｓｈｏｌｄ    ・・（１）
【０００７】
（Ａ２  ＭＲ）の条件
Ｍｓ＋Ｈｙｓ  ＜  ａ２＿Ｔｈｒｅｓｈｏｌｄ    ・・（２）
【０００８】
（Ａ３  ＭＲ）の条件
Ｍｎ＋Ｏｆｎ＋Ｏｃｎ−Ｈｙｓ  ＞  Ｍｓ＋Ｏｆｓ＋Ｏｃｓ＋ａ３＿Ｏｆｆｓｅｔ
・・（３）
【０００９】
（Ａ４  ＭＲ）の条件
Ｍｎ＋Ｏｆｎ＋Ｏｃｎ−Ｈｙｓ  ＞  ａ４＿Ｔｈｒｅｓｈｏｌｄ    ・・（４）
【００１０】
（Ａ５  ＭＲ）の条件
Ｍｓ＋Ｈｙｓ  ＜  ａ５＿Ｔｈｒｅｓｈｏｌｄ１    ・・（５）
且つ
Ｍｎ＋Ｏｆｎ＋Ｏｃｎ−Ｈｙｓ  ＞  ａ５＿Ｔｈｒｅｓｈｏｌｄ２    ・・（６）
【００１１】
（Ｂ１  ＭＲ）の条件
Ｍｎ＋Ｏｆｎ−Ｈｙｓ  ＞  ｂ１＿Ｔｈｒｅｓｈｏｌｄ    ・・（７）
【００１２】
（Ｂ２  ＭＲ）の条件
Ｍｓ＋Ｈｙｓ  ＜  ｂ２＿Ｔｈｒｅｓｈｏｌｄ１    ・・（８）
且つ
Ｍｎ＋Ｏｆｎ−Ｈｙｓ  ＞  ｂ２＿Ｔｈｒｅｓｈｏｌｄ２    ・・（９）
【００１３】
なお、それぞれのＭＲ情報の送信を決定する閾値などは、各セルから端末装置に通知することができる。また、端末装置から送信されるＭＲ情報には、端末装置が測定した自セルの受信品質情報、他セルの受信品質情報などを付加することができる。
【００１４】
次に、セル選択について説明する。
ＬＴＥでは、ハンドオーバに失敗したときや、通信が確立していない端末装置（ＲＲＣ＿ＩＤＬＥ状態の端末装置）で接続セルの下りリンクのパイロット信号における受信品質が低下したときなどに、接続すべきセルを選択するセル選択を行う。セル選択は、端末装置において実施され、測定した下りリンクの受信品質に基づく（非特許文献３参照。）。
例えば、端末装置は、常に、下りリンクのパイロット信号における受信品質を検出する。
【００１５】
ここで、セル選択において、端末装置が接続セルを選択する条件の一例（１種類の例）を示す。
条件
（Ｓｒｘｌｅｖ  ＞  ０）  且つ  （Ｓｑｕａｌ  ＞  ０）    ・・（１０）
【００１６】
ここで、
Ｓｒｘｌｅｖ  ＝  Ｑｒｘｌｅｖｍｅａｓ
−  （Ｑｒｘｌｅｖｍｉｎ  ＋  Ｑｒｘｌｅｖｍｉｎｏｆｆｓｅｔ）
−  Ｐｃｏｍｐｅｎｓａｔｉｏｎ
・・（１１）
Ｓｑｕａｌ  ＝  Ｑｑｕａｌｍｅａｓ
−  （Ｑｑｕａｌｍｉｎ  ＋  Ｑｑｕａｌｍｉｎｏｆｆｓｅｔ）
・・（１２）
である。
【００１７】
また、Ｑｒｘｌｅｖｍｅａｓは下りリンクのパイロット信号のＲＳＲＰであり、Ｑｒｘｌｅｖｍｉｎは最低限必要な受信電力であり、ＱｒｘｌｅｖｍｉｎｏｆｆｓｅｔはＱｒｘｌｅｖｍｉｎに対するオフセット値である。
また、Ｑｑｕａｌｍｅａｓは下りリンクのパイロット信号のＲＳＲＱであり、Ｑｑｕａｌｍｉｎは最低限必要な通信品質であり、ＱｑｕａｌｍｉｎｏｆｆｓｅｔはＱｑｕａｌｍｉｎに対するオフセット値である。
【００１８】
また、Ｐｃｏｍｐｅｎｓａｔｉｏｎは補正値であり、次のように表される。
Ｐｃｏｍｐｅｎｓａｔｉｏｎ
＝  ｍａｘ  （Ｐ＿ＥＭＡＸ＿Ｈ−Ｐ＿ＰｏｗｅｒＣｌａｓｓ，０）
・・（１３）
【００１９】
ここで、Ｐ＿ＥＭＡＸ＿Ｈは上位レイヤから通知される端末装置の最大送信電力であり、Ｐ＿ＰｏｗｅｒＣｌａｓｓは帯域に基づく端末装置の無線区間における最大送信電力である。
また、ｍａｘ（α，β）は、αとβとで大きい方をとる。
【００２０】
なお、Ｑｒｘｌｅｖｍｉｎ、Ｑｒｘｌｅｖｍｉｎｏｆｆｓｅｔ、Ｑｑｕａｌｍｉｎ、Ｑｑｕａｌｍｉｎｏｆｆｓｅｔなどの設定値は、基地局装置から端末装置に通知することができる。
【００２１】
次に、異バンド／異システムのサーチについて説明する。
異バンドサーチでは、例えば、８００ＭＨｚと１．５ＧＨｚのように同一のシステムにおいて異なるバンドがあり、端末装置による通信に使用するバンドを選択する。
異システムサーチでは、例えば、ＬＴＥのシステムとＣＤＭＡ（Ｃｏｄｅ  Ｄｉｖｉｓｉｏｎ  Ｍｕｌｔｉｐｌｅ  Ａｃｃｅｓｓ）のシステムのように異なるシステムがあり、端末装置による通信に使用するシステムを選択する。
【００２２】
ＬＴＥでは、基地局装置から端末装置に対し、接続セルが使用している周波数帯（バンド）とは異なるバンドの測定（異バンドサーチ）や、接続セルのシステム（例えば、ＬＴＥなど）とは異なるシステムの測定（異システムサーチ）を指示する。端末装置は、これらの指示に従い、異バンドや異システムの受信品質を測定し、ＭＲ情報を送信する。
【００２３】
ここで、端末装置の消費電力の観点から、異バンドや異システムを常にサーチすることは好ましくなく、一般的には、接続セルとの受信品質が一定値より小さくなったときに異バンドや異システムのサーチを指示する。例えば、基地局装置は、接続セルの受信品質が一定値より小さいことを通知する（Ａ２  ＭＲ）情報を端末装置から受信した場合に、当該端末装置に対して、異バンドサーチもしくは異システムサーチを指示する。端末装置は、このような指示を受信したことに応じて、異バンドサーチもしくは異システムサーチを実施する。
【先行技術文献】
【非特許文献】
【００２４】
【非特許文献１】３ＧＰＰ  ＴＳ３６．２１４，  ｖ９．２．０．２０１０−０６．
【非特許文献２】３ＧＰＰ  ＴＳ３６．３３１，  ｖ９．３．０．２０１０−０６．
【非特許文献３】３ＧＰＰ  ＴＳ３６．３０４，  ｖ９．３．０．２０１０−０６．
【発明の概要】
【発明が解決しようとする課題】
【００２５】
ハンドオーバの失敗や不要なハンドオーバの低減、もしくは負荷分散効果を目指し、ＭＲ情報の送信条件の閾値を調整することが検討されているが、これらを同時に満たす具体的な方法の検討は行われていなかった。
【００２６】
本発明は、このような事情を考慮してなされたもので、ハンドオーバの失敗や不要なハンドオーバの低減、および負荷分散効果を図ることができる通信制御装置、通信制御方法および通信制御プログラムを提供することを課題とする。
【課題を解決するための手段】
【００２７】
（１）上記の課題を解決するために、本発明に係る通信制御装置は、基準のセルである基準セルと当該基準セルのハンドオーバ対象となるセルである調整セルについて、前記基準セルに接続している端末装置におけるハンドオーバを行うための基地局装置への測定結果の通知条件として、前記基準セルの受信品質を基準とした閾値より前記基準セルに接続されている端末装置における前記基準セルの受信品質が小さいという条件を設定し、前記調整セルに接続している端末装置におけるハンドオーバを行うための基地局装置への測定結果の通知条件として、前記基準セルの受信品質を基準とした閾値より前記調整セルに接続されている端末装置における前記基準セルの受信品質が大きいという条件を設定する条件設定部と、前記条件設定部により設定した前記測定結果の通知条件を端末装置に設定するための情報を送信する通信部と、を備えたことを特徴とする。
【００２８】
（２）本発明に係る通信制御装置は、上記した（１）に記載の通信制御装置において、前記条件設定部は、さらに、前記基準セルに接続している端末装置におけるハンドオーバを行うための基地局装置への測定結果の通知条件として、前記基準セルの受信品質を基準とした閾値より前記基準セルに接続されている端末装置における前記基準セルの受信品質が小さく、且つ、前記基準セルに接続されている端末装置における前記調整セルの受信品質が隣接セルの許容受信品質より大きいという条件を設定する、ことを特徴とする。
【００２９】
（３）本発明に係る通信制御装置は、上記した（１）または上記した（２）に記載の通信制御装置において、前記条件設定部は、さらに、前記調整セルに接続している端末装置におけるハンドオーバを行うための基地局装置への測定結果の通知条件として、前記調整セルに接続されている端末装置における前記調整セルの受信品質が最低限の通信を許容する前記調整セルの許容受信品質より小さいという条件を設定する、ことを特徴とする。
【００３０】
（４）本発明に係る通信制御装置は、上記した（１）から上記した（３）のいずれか１つに記載の通信制御装置において、前記条件設定部は、さらに、前記調整セルに接続している端末装置におけるハンドオーバを行うための基地局装置への測定結果の通知条件として、前記調整セルに接続されている端末装置における前記調整セルの受信品質が最低限の通信を許容する前記調整セルの許容受信品質より小さく、且つ、前記調整セルに接続されている端末装置における前記基準セルの受信品質が最低限の通信を許容する隣接セルの許容受信品質より大きいという条件を設定する、ことを特徴とする。
【００３１】
（５）上記の課題を解決するために、本発明に係る通信制御装置は、基準のセルである基準セルと当該基準セルのハンドオーバ対象となるセルである調整セルについて、前記基準セルから前記調整セルへのハンドオーバの実施を決定する条件として、前記基準セルの受信品質を基準とした閾値より前記基準セルに接続されている端末装置における前記基準セルの受信品質が小さいという条件を設定し、前記調整セルから前記基準セルへのハンドオーバの実施を決定する条件として、前記基準セルの受信品質を基準とした閾値より前記調整セルに接続されている端末装置における前記基準セルの受信品質が大きいという条件を設定する条件設定部と、前記条件設定部により設定した前記ハンドオーバの実施を決定する条件を基地局装置に設定するための情報を送信する通信部と、を備えたことを特徴とする。
【００３２】
（６）本発明に係る通信制御装置は、上記した（５）に記載の通信制御装置において、前記条件設定部は、さらに、前記基準セルから前記調整セルへのハンドオーバの実施を決定する条件として、前記基準セルの受信品質を基準とした閾値より前記基準セルに接続されている端末装置における前記基準セルの受信品質が小さく、且つ、前記基準セルに接続されている端末装置における前記調整セルの受信品質が隣接セルの許容受信品質より大きいという条件を設定する、ことを特徴とする。
【００３３】
（７）本発明に係る通信制御装置は、上記した（５）または上記した（６）に記載の通信制御装置において、前記条件設定部は、さらに、前記調整セルから前記基準セルへのハンドオーバの実施を決定する条件として、前記調整セルに接続されている端末装置における前記調整セルの受信品質が最低限の通信を許容する前記調整セルの許容受信品質より小さいという条件を設定する、ことを特徴とする。
【００３４】
（８）本発明に係る通信制御装置は、上記した（５）から上記した（７）のいずれか１つに記載の通信制御装置において、前記条件設定部は、さらに、前記調整セルから前記基準セルへのハンドオーバの実施を決定する条件として、前記調整セルに接続されている端末装置における前記調整セルの受信品質が最低限の通信を許容する前記調整セルの許容受信品質より小さく、且つ、前記調整セルに接続されている端末装置における前記基準セルの受信品質が最低限の通信を許容する隣接セルの許容受信品質より大きいという条件を設定する、ことを特徴とする。
【００３５】
（９）本発明に係る通信制御装置は、上記した（１）から上記した（８）のいずれか１つに記載の通信制御装置において、前記条件設定部は、さらに、セル選択の条件として、前記基準セルの受信品質を基準とした閾値を前記基準セルにおけるセル選択の閾値とする条件を設定し、前記通信部は、前記条件設定部により設定したセル選択の条件を端末装置に設定するための情報を送信する、ことを特徴とする。
【００３６】
（１０）本発明に係る通信制御装置は、上記した（１）から上記した（９）のいずれか１つに記載の通信制御装置において、前記条件設定部は、さらに、異バンドサーチと異システムサーチのうちの一方または両方に関して、前記基準セルに接続している端末装置における基地局装置への測定結果の通知条件として、前記基準セルの受信品質を基準とした閾値に一定値を加算したものより前記基準セルの受信品質が小さいという条件を設定し、前記通信部は、前記条件設定部により設定した前記測定結果の通知条件を端末装置に設定するための情報を送信する、ことを特徴とする。
【００３７】
（１１）上記の課題を解決するために、本発明に係る通信制御方法は、通信制御装置の条件設定部が、基準のセルである基準セルと当該基準セルのハンドオーバ対象となるセルである調整セルについて、前記基準セルに接続している端末装置におけるハンドオーバを行うための基地局装置への測定結果の通知条件として、前記基準セルの受信品質を基準とした閾値より前記基準セルに接続されている端末装置における前記基準セルの受信品質が小さいという条件を設定し、前記調整セルに接続している端末装置におけるハンドオーバを行うための基地局装置への測定結果の通知条件として、前記基準セルの受信品質を基準とした閾値より前記調整セルに接続されている端末装置における前記基準セルの受信品質が大きいという条件を設定し、前記通信制御装置の通信部が、前記条件設定部により設定した前記測定結果の通知条件を端末装置に設定するための情報を送信する、ことを特徴とする。
【００３８】
（１２）上記の課題を解決するために、本発明に係る通信制御方法は、通信制御装置の条件設定部が、基準のセルである基準セルと当該基準セルのハンドオーバ対象となるセルである調整セルについて、前記基準セルから前記調整セルへのハンドオーバの実施を決定する条件として、前記基準セルの受信品質を基準とした閾値より前記基準セルに接続されている端末装置における前記基準セルの受信品質が小さいという条件を設定し、前記調整セルから前記基準セルへのハンドオーバの実施を決定する条件として、前記基準セルの受信品質を基準とした閾値より前記調整セルに接続されている端末装置における前記基準セルの受信品質が大きいという条件を設定し、前記通信制御装置の通信部が、前記条件設定部により設定した前記ハンドオーバの実施を決定する条件を基地局装置に設定するための情報を送信する、ことを特徴とする。
【００３９】
（１３）上記の課題を解決するために、本発明に係る通信制御プログラムは、通信制御装置の条件設定部が、基準のセルである基準セルと当該基準セルのハンドオーバ対象となるセルである調整セルについて、前記基準セルに接続している端末装置におけるハンドオーバを行うための基地局装置への測定結果の通知条件として、前記基準セルの受信品質を基準とした閾値より前記基準セルに接続されている端末装置における前記基準セルの受信品質が小さいという条件を設定し、前記調整セルに接続している端末装置におけるハンドオーバを行うための基地局装置への測定結果の通知条件として、前記基準セルの受信品質を基準とした閾値より前記調整セルに接続されている端末装置における前記基準セルの受信品質が大きいという条件を設定するステップと、前記通信制御装置の通信部が、前記条件設定部により設定した前記測定結果の通知条件を端末装置に設定するための情報を送信するステップと、をコンピュータに実行させるためのプログラムである。
【００４０】
（１４）上記の課題を解決するために、本発明に係る通信制御プログラムは、通信制御装置の条件設定部が、基準のセルである基準セルと当該基準セルのハンドオーバ対象となるセルである調整セルについて、前記基準セルから前記調整セルへのハンドオーバの実施を決定する条件として、前記基準セルの受信品質を基準とした閾値より前記基準セルに接続されている端末装置における前記基準セルの受信品質が小さいという条件を設定し、前記調整セルから前記基準セルへのハンドオーバの実施を決定する条件として、前記基準セルの受信品質を基準とした閾値より前記調整セルに接続されている端末装置における前記基準セルの受信品質が大きいという条件を設定するステップと、前記通信制御装置の通信部が、前記条件設定部により設定した前記ハンドオーバの実施を決定する条件を基地局装置に設定するための情報を送信するステップと、をコンピュータに実行させるためのプログラムである。
【発明の効果】
【００４１】
本発明によれば、ハンドオーバの失敗や不要なハンドオーバの低減、および負荷分散効果を図ることができる。
【図面の簡単な説明】
【００４２】
【図１】本発明の実施形態に係る無線通信システムの概略的な構成を示すブロック図である。
【図２】本発明の実施形態に係る通信制御装置のハンドオーバ制御に関する構成を示すブロック図である。
【発明を実施するための形態】
【００４３】
以下、図面を参照し、本発明の実施形態について説明する。
【００４４】
［第１実施形態］
図１は、本発明の実施形態に係る無線通信システムの概略的な構成を示すブロック図である。
本実施形態に係る無線通信システムは、通信制御装置（集中制御装置）１と、複数（Ｎ個）のセル装置２−１〜２−Ｎと、複数（Ｍ個）の端末装置３−１〜３−Ｍと、を備える。
また、図１には、各セル装置２−１〜２−Ｎのセル（通信エリア）１１−１〜１１−Ｎを示してある。
【００４５】
ここで、本実施形態では、１個の基地局装置が１個のセルを形成する構成を示してあり、各セル装置２−１〜２−Ｎは各基地局装置により構成される。
なお、他の構成例として、１個の基地局装置が２個以上のセルを形成する構成（例えば、セクタ構成）が用いられてもよく、この場合、各セルを形成する機能部分により各セル装置が構成される。
【００４６】
通信制御装置１と各セル装置２−１〜２−Ｎとは、有線の通信回線または無線により、通信可能に接続される。
通信制御装置１は、各セル装置２−１〜２−Ｎと通信し、無線通信システムにおける通信を制御する。ここで、通信制御装置１は、複数の基地局装置（本実施形態では、複数のセル装置２−１〜２−Ｎ）を束ねる上位装置である。
各セル装置２−１〜２−Ｎは、通信制御装置１と通信し、また、端末装置３−１〜３−Ｍと無線により通信する。
端末装置３−１〜３−Ｍは、セル装置２−１〜２−Ｎと無線により通信する。
【００４７】
ここで、本実施形態では、端末装置３−１〜３−Ｍは、いずれのセル装置２−１〜２−Ｎにも接続されていない状態において、接続するセル装置２−１〜２−Ｎを選択する。これにより、この端末装置３−１〜３−Ｍは、選択したセル装置２−１〜２−Ｎに接続され、該当する基地局装置（本実施形態では、当該セル装置２−１〜２−Ｎ）により管理される。
なお、このような管理は、例えば、基地局装置（本実施形態では、セル装置２−１〜２−Ｎ）で行われずに、通信制御装置１により行われてもよい。
【００４８】
また、本実施形態では、端末装置３−１〜３−Ｍは、いずれかのセル装置２−１〜２−Ｎに接続されている状態において、あらかじめ定められた測定情報の送信条件を満たしたことを判定した場合には、あらかじめ定められた測定情報（例えば、ＭＲ情報）を基地局装置（本実施形態では、セル装置２−１〜２−Ｍ）に無線送信する。そして、この基地局装置は、この測定情報を受信したことに応じて、この端末装置３−１〜３−Ｍに対してハンドオーバすること（他のセル装置２−１〜２−Ｎに接続する状態へ移行すること）を指示する信号を無線送信する。この端末装置３−１〜３−Ｍは、この信号を受信したことに応じて、ハンドオーバを実行する。
【００４９】
例えば、端末装置３−１〜３−Ｍは、いずれかのセル装置２−１〜２−Ｎに接続されている状態（ＬＴＥでは、ＲＲＣ＿ＣＯＮＮＥＣＴＥＤ状態）において、任意の基地局装置（本実施形態では、セル装置２−１〜２−Ｎ）から無線送信されて当該端末装置３−１〜３−Ｍに到来する下りリンクの信号を受信し、受信した下りリンクの信号に含まれるパイロット信号に基づいて、当該下りリンクにおける受信品質を測定する。そして、端末装置３−１〜３−Ｍは、あらかじめ定められたタイミングで、この測定結果の情報（測定情報）を、例えば、当該端末装置３−１〜３−Ｍが接続される基地局装置（本実施形態では、セル装置２−１〜２−Ｎ）に無線送信（通知）する。
なお、端末装置３−１〜３−Ｍは、いずれのセル装置２−１〜２−Ｎにも接続されていない状態（ＬＴＥでは、ＲＲＣ＿ＩＤＬＥ状態）においては、下りリンクにおける受信品質を測定するが、その測定結果の情報（測定情報）を基地局装置（本実施形態では、セル装置２−１〜２−Ｎ）に無線送信（通知）することはせず、隣接セルの品質の方が良いと判定した場合には、当該隣接セルと下りリンクの同期をとる（Ｃｅｌｌ  Ｒｅｓｅｌｅｃｔｉｏｎ）。
【００５０】
なお、各基地局装置（本実施形態では、セル装置２−１〜２−Ｎ）から無線送信される下りリンクの信号には当該各基地局装置（本実施形態では、セル装置２−１〜２−Ｎ）を識別する情報（識別情報）が含められる。そして、端末装置３−１〜３−Ｍは、受信した下りリンクの信号に含まれる当該識別情報に基づいて、当該下りリンクの信号を送信した基地局装置（本実施形態では、セル装置２−１〜２−Ｎ）を識別することができる。
【００５１】
図２は、本発明の実施形態に係る通信制御装置１のハンドオーバ制御に関する構成を示すブロック図である。
本実施形態に係る通信制御装置１は、ハンドオーバ制御に関する構成部として、条件設定部１１１と、複数（Ｎ個）の通信部１０３−１〜１０３−Ｎと、を備える。
条件設定部１１１は、判定閾値決定部１０１と、閾値変換部１０２と、を備える。
【００５２】
ここで、各通信部１０３−１〜１０３−Ｎは、各セル装置２−１〜２−Ｎと対応する。
なお、他の構成例として、複数（Ｎ個）の通信部１０３−１〜１０３−Ｎの代わりに、これら全体の機能と同様な機能を有する１個の通信部を備えてもよい。
【００５３】
判定閾値決定部１０１により行われる処理について説明する。
判定閾値決定部１０１には、基準セル情報と、調整セル情報と、期待受信品質情報が入力される。
そして、判定閾値決定部１０１は、入力された基準セル情報と、調整セル情報と、期待受信品質情報に基づいて、判定閾値の情報（判定閾値情報）を決定し、決定した判定閾値情報を閾値変換部１０２に出力する。
【００５４】
ここで、本実施形態では、基準セル情報と、調整セル情報と、期待受信品質情報は、別の装置（これら３つの情報について、必ずしも同一の装置でなくてもよく、２個以上の装置であってもよい）により取得されて、当該別の装置から通信制御装置１の判定閾値決定部１０１に入力される。
なお、このような別の装置としては、任意の装置が用いられてもよい。
【００５５】
また、他の構成例として、このような別の装置の機能（３つの情報のうちの一部の情報に関する機能のみでもよい）を通信制御装置１内に備えてもよく、この場合、例えば、基準セル情報と、調整セル情報と、期待受信品質情報（これらのうちの一部の情報のみでもよい）は、通信制御装置１内で取得されて、判定閾値決定部１０１に入力される。
【００５６】
基準セル情報は、基準となるセル（基準セル）の情報である。基準セル情報により、例えば、基準セルが特定される。
本実施形態では、基準セルは、複数のセル装置２−１〜２−Ｎにより形成される複数のセル１１−１〜１１−Ｎのうちのいずれかとなり、以下の説明では、セル装置２−１（本実施形態で、セル装置Ａとも称する）により形成されるセル１１−１（本実施形態で、セルＡとも称する）が基準セルであるとする。
【００５７】
また、本実施形態では、基準セルとして、例えばリソースの使用量が最も高い１個のセルを設定する。そして、この基準セルに対するリソースの負荷を下げるように（改善するように）制御を行う。
【００５８】
なお、多数のセルが存在する現実のシステムにおいては、互いに遠く離れて障害とならないような２個以上のセルが基準セルとして設定されてもよい。つまり、２個以上のセルが基準セルとして設定されても、それぞれの基準セルごとに独立した制御が行われるような状況であればよい。
具体例として、ある基準セルの隣接セル（調整セル）に対して、この調整セルを別の基準セルに設定するようなことは、好ましくないと考えられる。
【００５９】
調整セル情報は、基準セルの隣接セル（調整セル）の情報である。調整セル情報により、例えば、調整セルが特定される。ここで、基準セルの隣接セルが１個のみである場合にはこの１個のセルのみが調整セルとなり、基準セルの隣接セルが２個以上である場合にはこれら２個以上のセルが調整セルとなる。
本実施形態では、調整セルは、複数のセル装置２−１〜２−Ｎにより形成される複数のセル１１−１〜１１−Ｎのうちのいずれか１個以上となり、以下の説明では、１個のセル装置２−２（本実施形態で、セル装置Ｂとも称する）により形成される１個のセル１１−２（本実施形態で、セルＢとも称する）が調整セルであるとする。
【００６０】
ここで、あるセルの隣接セルとは、当該あるセルのハンドオーバの対象となる他のセルのことであり、一般的には、各基地局装置に記憶される隣接セルリストに登録されているセルのことである。あるセルの隣接セルは、必ずしも当該あるセルに物理的に隣接していなくてもよく、例えば、当該あるセルに物理的に隣接していなくても、当該あるセルに存在する端末装置において基地局装置（他のセル）からの電波が届いてハンドオーバすることが可能な他のセルであれば含まれ得る。
【００６１】
期待受信品質情報は、例えば、オペレータのポリシーに従って決定され、具体的には、基準セル（本実施形態では、セルＡ）と調整セル（本実施形態では、セルＢ）の負荷状態やハンドオーバ失敗率などに基づいて決定される。この期待受信品質情報は、基準セル（本実施形態では、セルＡ）の受信品質の閾値（期待受信品質）の情報である。本実施形態では、この期待受信品質情報は、セルＡに関する情報となる。
【００６２】
判定閾値決定部１０１は、次の式に従って、基準セル（本実施形態では、セルＡ）の判定閾値と調整セル（本実施形態では、セルＢ）の判定閾値を算出する。そして、算出した基準セルの判定閾値の情報および算出した調整セルの判定閾値の情報を、判定閾値情報として、閾値変換部１０２に出力する。
【００６３】
基準セルの判定閾値  ＝  （基準セルの期待受信品質  ＋  Ｈｙｓ１）
・・（１４）
調整セルの判定閾値  ＝  （基準セルの期待受信品質  −  Ｈｙｓ２）
・・（１５）
ここで、Ｈｙｓ１＝Ｈｙｓ２＝Ｈｙｓ３
【００６４】
ここで、Ｈｙｓ１、Ｈｙｓ２（本実施形態では、いずれも、Ｈｙｓ３）は、ヒステリシスの値であり、不要なハンドオーバを防ぐために設定される。このＨｙｓ１、Ｈｙｓ２の値としては、例えば、外部から入力された値を使用してもよく、または、あらかじめ設定された特定の値を使用してもよい。
また、本実施形態では、基準セルに関するＨｙｓ１と調整セルに関するＨｙｓ２とを同じ値（Ｈｙｓ３）にしているが、必ずしも同じ値でなくてもよい。
【００６５】
このように、本実施形態では、基準セルの判定閾値と調整セルの判定閾値の両方について、基準セルの期待受信品質を基準とした値を用いることで、不要なハンドオーバの発生を抑制することができる。
【００６６】
閾値変換部１０２により行われる処理について説明する。
閾値変換部１０２には、基準セル情報と、調整セル情報と、判定閾値情報が入力される。
ここで、基準セル情報と、調整セル情報は、判定閾値決定部１０１に入力される情報と同じである。
また、判定閾値情報は、判定閾値決定部１０１から入力される。
【００６７】
閾値変換部１０２は、入力された基準セル情報と、調整セル情報と、判定閾値情報に基づいて、あらかじめ定められた設定情報を決定し、決定した設定情報を通信部１０３−１〜１０３−Ｎに出力する。
なお、閾値変換部１０２により決定される設定情報が、複数の通信部１０３−１〜１０３−Ｎのうちの一部のみの通信部で必要な場合には、閾値変換部１０２は決定した設定情報を当該一部のみの通信部に出力する。
【００６８】
ここで、本実施形態では、この設定情報として、端末装置３−１〜３−Ｍにおける測定情報通知機能に関する設定情報を用いる。
この測定情報通知機能は、例えば、ＬＴＥの場合には、端末装置３−１〜３−Ｍが基地局装置（本実施形態では、セル装置２−１〜２−Ｎ）に対してＭＲ情報（測定情報）を送信（通知）する機能に相当する。そして、設定情報では、このような測定情報の通知を行う条件を規定する。
【００６９】
本実施形態では、端末装置３−１〜３−Ｍにおいて、特定の条件（設定情報により規定される条件）を満たした場合に、そのときの測定情報を基地局装置（本実施形態では、セル装置２−１〜２−Ｎ）に通知する。そして、このような測定情報の通知が行われることに応じて、基地局装置（本実施形態では、セル装置２−１〜２−Ｎ）から端末装置３−１〜３−Ｍに指示がなされて、ハンドオーバが行われる。
【００７０】
閾値変換部１０２は、端末装置３−１〜３−Ｍにより測定情報の通知を行う条件式として、式（１６）や式（１７）を決定し、決定した条件式の情報を設定情報として通信部１０３−１〜１０３−Ｎに出力する。
なお、閾値変換部１０２は、基準セル（本実施形態では、セルＡ）に関する条件式の情報（設定情報Ａ）を対応するセルＡの通信部１０３−１（本実施形態で、通信部Ａとも称する）に出力し、調整セル（本実施形態では、セルＢ）に関する条件式の情報（設定情報Ｂ）を対応するセルＢの通信部１０３−２（本実施形態で、通信部Ｂとも称する）に出力する。
【００７１】
（基準セルに関する条件式）
基準セルのセル装置に接続している端末装置が当該基準セルのセル装置から受信した信号の受信品質  ＜  基準セルの判定閾値
・・（１６）
【００７２】
（調整セルに関する条件式）
調整セルのセル装置に接続している端末装置が基準セルのセル装置から受信した信号の受信品質  ＞  調整セルの判定閾値
・・（１７）
【００７３】
通信部１０３−１〜１０３−Ｎにより行われる処理について説明する。
各通信部１０３−１〜１０３−Ｎは、閾値変換部１０２から入力された設定情報を、それぞれに対応するセル装置２−１〜２−Ｎに送信する。
具体例として、通信部１０３−１（通信部Ａ）は、設定情報Ａを、対応するセル装置２−１（セル装置Ａ）に送信し、通信部１０３−２（通信部Ｂ）は、設定情報Ｂを、対応するセル装置２−２（セル装置Ｂ）に送信する。
【００７４】
そして、本実施形態では、各セル装置２−１〜２−Ｎは、対応する各通信部１０３−１〜１０３−Ｎから受信した設定情報を、自己に接続されている端末装置に対して無線送信する。そして、端末装置は、自己が接続されているセル装置２−１〜２−Ｎから受信した設定情報をメモリに記憶して、当該設定情報に基づいて測定情報の通知を行うようにする。
具体例として、基準セルのセル装置Ａに接続されている端末装置では基準セルに関する設定情報Ａの条件式に基づいて測定情報の通知を行い、調整セルのセル装置Ｂに接続されている端末装置では調整セルに関する設定情報Ｂの条件式に基づいて測定情報の通知を行う。
【００７５】
このように、通信部１０３−１〜１０３−Ｎは、ネットワークなどを介して基地局装置（本実施形態では、セル装置２−１〜２−Ｎ）に設定情報を通知し、基地局装置は通信部１０３−１〜１０３−Ｎから通知された設定情報に従って設定を行う。
【００７６】
ここで、本実施形態では、式（１６）や式（１７）に示される条件式の情報を設定情報として、通信制御装置１の通信部１０３−１〜１０３−Ｎから基地局装置（本実施形態では、セル装置２−１〜２−Ｎ）や端末装置３−１〜３−Ｍに通知するが、他の構成が用いられてもよい。
【００７７】
他の構成の一例として、基準セルの判定閾値と調整セルの判定閾値を除いて、式（１６）や式（１７）に示される条件式を通信制御装置１と基地局装置（本実施形態では、セル装置２−１〜２−Ｎ）と端末装置３−１〜３−Ｍとの間で事前に定めて、この条件式の情報を通信制御装置１と基地局装置（本実施形態では、セル装置２−１〜２−Ｎ）と端末装置３−１〜３−Ｍにあらかじめ記憶しておき、そして、通信制御装置１の通信部１０３−１〜１０３−Ｎから基地局装置（本実施形態では、セル装置２−１〜２−Ｎ）や端末装置３−１〜３−Ｍに、対応する条件式（使用する条件式）を識別する情報および判定閾値（基準セルの判定閾値や調整セルの判定閾値）の情報を設定情報として、通知してもよい。この場合、基地局装置（本実施形態では、セル装置２−１〜２−Ｎ）や端末装置３−１〜３−Ｍでは、通知された条件式を識別する情報に基づいて使用する条件式を決定することができ、決定した条件式において、通知された判定閾値（基準セルの判定閾値や調整セルの判定閾値）を代入することにより、使用する条件式（判定閾値が定まったもの）の情報を得ることができる。
なお、使用する条件式が一定に定められている場合には、条件式（使用する条件式）を識別する情報は用いられなくてもよい。
【００７８】
具体例として、ＬＴＥの場合には、Ａ１〜Ａ５、Ｂ１、Ｂ２などのように、測定情報通知の条件式が定められており、これを利用して、式（１８）や式（１９）を用いて設定情報を定めることもできる。
ここで、ａ５＿Ｔｈｒｅｓｈｏｌｄ１は式（５）の条件式に表されるものであり、ａ４＿Ｔｈｒｅｓｈｏｌｄは式（４）の条件式に表されるものである。この例では、式（４）や式（５）の条件式の情報が、あらかじめ、通信制御装置１と基地局装置（本実施形態では、セル装置２−１〜２−Ｎ）と端末装置３−１〜３−Ｍに設定される。
【００７９】
（基準セルに関する設定）
ａ５＿Ｔｈｒｅｓｈｏｌｄ１  ＝  基準セルの判定閾値    ・・（１８）
（調整セルに関する設定）
ａ４＿Ｔｈｒｅｓｈｏｌｄ  ＝  調整セルの判定閾値    ・・（１９）
【００８０】
本実施形態のように、各セル（本実施形態では、セルＡ、セルＢ）で接続されている端末装置における基準セル（本実施形態では、セルＡ）に関する受信品質と、基準セル（本実施形態では、セルＡ）の期待受信品質を基準として判定閾値決定部１０１で決定された閾値を、各セル（本実施形態では、セルＡ、セルＢ）に関する測定情報通知の条件式に適用することで、不要なハンドオーバの発生を抑えつつ、基準セル（本実施形態では、セルＡ）の期待受信品質に応じた負荷分散効果を得ることができる。
【００８１】
なお、ハンドオーバの具体的な例としては、基準セルのセル装置Ａに接続されている端末装置について、式（１６）の条件式のような所定の条件式が満たされて、ハンドオーバすることが判定された場合には、当該端末装置が調整セルのセル装置Ｂに接続される状態へ移行するハンドオーバを実行することや、あるいは、調整セルのセル装置Ｂに接続されている端末装置について、式（１７）の条件式のような所定の条件式が満たされて、ハンドオーバすることが判定された場合には、当該端末装置が基準セルのセル装置Ａに接続される状態へ移行するハンドオーバを実行することができる。
【００８２】
以上のように、本実施形態に係る通信制御装置１では、ハンドオーバを実施する基準セル（本実施形態では、セルＡ）と調整セル（本実施形態では、セルＢ）のペアにおいて、基準セルに接続している端末装置における基地局装置への測定結果の通知条件として、基準セルの受信品質を基準とした判定閾値より、基準セルに接続されている端末装置において測定した基準セルの受信品質が小さいという条件を使用し、また、調整セルに接続している端末装置における基地局装置への測定結果の通知条件として、基準セルの受信品質を基準とした判定閾値より、調整セルに接続されている端末装置において測定した基準セルの受信品質が大きいという条件を使用する。
【００８３】
本実施形態に係る通信制御装置１によると、受信品質の低下によるハンドオーバの失敗を防ぎ、期待する受信品質に基づいた負荷分散を実現することができる。また、不要なハンドオーバ（ハンドオーバ完了後にすぐにハンドオーバ元に再接続されるハンドオーバ）を低減することができる。また、例えば、ハンドオーバの判定を行うためのパラメータの設定を、セルの負荷状況やハンドオーバの失敗率などに応じて実施することが可能である。
このように、本実施形態に係る通信制御装置１によると、ハンドオーバの失敗や不要なハンドオーバの低減、および負荷分散効果を図ることができる。
【００８４】
＜第１実施形態における他の例＞
以下で、他の例について説明する。
他の例として、上記した式（１６）と式（１７）の代わりに、式（２０）と式（２１）を用いることもできる。
この例では、式（２０）と式（２１）に示される許容受信品質の情報（隣接セルの許容受信品質情報および調整セルの許容受信品質情報）が、通信制御装置１の閾値変換部１０２に入力される。
ここで、隣接セルの許容受信品質情報や調整セルの許容受信品質情報は、例えば、別の装置により取得されて、当該別の装置から通信制御装置１の閾値変換部１０２に入力されてもよく、または、通信制御装置１内の機能によって取得されてもよい。
【００８５】
閾値変換部１０２は、入力される情報に基づいて、端末装置３−１〜３−Ｍにより測定情報の通知を行う条件式として、式（２０）や式（２１）を決定し、決定した条件式の情報を設定情報として通信部１０３−１〜１０３−Ｎに出力する。
なお、閾値変換部１０２は、基準セル（本実施形態では、セルＡ）に関する条件式の情報（設定情報Ａ）を対応するセルＡの通信部１０３−１（通信部Ａ）に出力し、調整セル（本実施形態では、セルＢ）に関する条件式の情報（設定情報Ｂ）を対応するセルＢの通信部１０３−２（通信部Ｂ）に出力する。
【００８６】
（基準セルに関する条件式）
｛基準セルのセル装置に接続している端末装置が当該基準セルのセル装置から受信した信号の受信品質  ＜  基準セルの判定閾値｝
または
｛基準セルのセル装置に接続している端末装置が当該基準セルのセル装置から受信した信号の受信品質  ＜  基準セルの判定閾値
且つ
基準セルのセル装置に接続している端末装置が調整セルのセル装置から受信した信号の受信品質  ＞  隣接セルの許容受信品質｝
・・（２０）
【００８７】
（調整セルに関する条件式）
｛調整セルのセル装置に接続している端末装置が基準セルのセル装置から受信した信号の受信品質  ＞  調整セルの判定閾値｝
または
｛調整セルのセル装置に接続している端末装置が当該調整セルのセル装置から受信した信号の受信品質  ＜  調整セルの許容受信品質
または
調整セルのセル装置に接続している端末装置が基準セルのセル装置から受信した信号の受信品質  ＞  調整セルの判定閾値｝
または
｛｛｛調整セルのセル装置に接続している端末装置が当該調整セルのセル装置から受信した信号の受信品質  ＜  調整セルの許容受信品質｝
且つ
｛調整セルのセル装置に接続している端末装置が基準セルのセル装置から受信した信号の受信品質  ＞  隣接セルの許容受信品質｝｝
または
｛調整セルのセル装置に接続している端末装置が基準セルのセル装置から受信した信号の受信品質  ＞  調整セルの判定閾値｝｝
・・（２１）
【００８８】
なお、式（２０）において、「または」の前後の条件式（２つの条件式）は、例えば、両方が用いられてもよく、または、いずれか一方のみが用いられてもよい。また、これら２つの条件式は、あらかじめ定められた方法で、切り替えられて用いられてもよい。
同様に、式（２１）において、「または」で区切られた条件式（３つの条件式）は、例えば、全てが用いられてもよく、または、１つあるいは２つのみが用いられてもよい。また、これら３つの条件式は、あらかじめ定められた方法で、切り替えられて用いられてもよい。
【００８９】
ここで、許容受信品質情報は、許容受信品質を特定する情報である。許容受信品質は、通信を確立することができる最低限の受信品質であり、例えば、最小の割当無線リソース、および最低の符号化方式と変調方式にて特定の誤り率を満たすＳＩＮＲ（Ｓｉｇｎａｌ  ｔｏ  Ｉｎｔｅｒｆｅｒｅｎｃｅ  ａｎｄ  Ｎｏｉｓｅ  ｐｏｗｅｒ  Ｒａｔｉｏ）やＲＳＲＱなどを用いることができる。
許容受信品質としては、様々な値が用いられてもよく、例えば、あらかじめ定められた値が用いられてもよく、または、過去に通信断が発生した際における受信品質に基づいて、その受信品質の平均値、最小値、ＣＤＦ−ｘ％値、あるいは中央値などを用いて求められてもよい。
【００９０】
また、本実施形態では、基準セルと調整セルが各１個である場合を示すが、他の例として、隣接セルが複数個存在する場合には、調整セルに対する許容受信品質としては、例えば、複数個のうちのいずれか１個の調整セルの許容受信品質、または、複数個の調整セルの許容受信品質の平均値あるいは最小値などを用いることができる。
【００９１】
ここで、この例では、式（２０）や式（２１）に示される条件式の情報を設定情報として、通信制御装置１の通信部１０３−１〜１０３−Ｎから基地局装置（本実施形態では、セル装置２−１〜２−Ｎ）や端末装置３−１〜３−Ｍに通知するが、他の構成が用いられてもよい。
【００９２】
他の構成の一例として、基準セルの判定閾値、調整セルの判定閾値、隣接セルの許容受信品質、および調整セルの許容受信品質を除いて、式（２０）や式（２１）に示される条件式を通信制御装置１と基地局装置（本実施形態では、セル装置２−１〜２−Ｎ）と端末装置３−１〜３−Ｍとの間で事前に定めて、この条件式の情報を通信制御装置１と基地局装置（本実施形態では、セル装置２−１〜２−Ｎ）と端末装置３−１〜３−Ｍにあらかじめ記憶しておき、そして、通信制御装置１の通信部１０３−１〜１０３−Ｎから基地局装置（本実施形態では、セル装置２−１〜２−Ｎ）や端末装置３−１〜３−Ｍに、対応する条件式（使用する条件式）を識別する情報および判定閾値（基準セルの判定閾値や調整セルの判定閾値）の情報と許容受信品質（隣接セルの許容受信品質や調整セルの許容受信品質）の情報を設定情報として、通知してもよい。この場合、基地局装置（本実施形態では、セル装置２−１〜２−Ｎ）や端末装置３−１〜３−Ｍでは、通知された条件式を識別する情報に基づいて使用する条件式を決定することができ、決定した条件式において、通知された判定閾値（基準セルの判定閾値や調整セルの判定閾値）と許容受信品質（隣接セルの許容受信品質や調整セルの許容受信品質）を代入することにより、使用する条件式（判定閾値と許容受信品質が定まったもの）の情報を得ることができる。
【００９３】
具体例として、ＬＴＥの場合には、Ａ１〜Ａ５、Ｂ１、Ｂ２などのように、測定情報通知の条件式が定められており、これを利用して、式（２２）や式（２３）を用いて設定情報を定めることもできる。
ここで、ａ５＿Ｔｈｒｅｓｈｏｌｄ１は式（５）の条件式に表されるものであり、ａ５＿Ｔｈｒｅｓｈｏｌｄ２は式（６）の条件式に表されるものであり、ａ４＿Ｔｈｒｅｓｈｏｌｄは式（４）の条件式に表されるものである。この例では、式（４）や式（５）や式（６）の条件式の情報が、あらかじめ、通信制御装置１と基地局装置（本実施形態では、セル装置２−１〜２−Ｎ）と端末装置３−１〜３−Ｍに設定される。
【００９４】
（基準セルに関する設定）
ａ５＿Ｔｈｒｅｓｈｏｌｄ１  ＝  基準セルの判定閾値
ａ５＿Ｔｈｒｅｓｈｏｌｄ２  ＝  隣接セルの許容受信品質
・・（２２）
（調整セルに関する設定）
ａ４＿Ｔｈｒｅｓｈｏｌｄ  ＝  調整セルの判定閾値
ａ５＿Ｔｈｒｅｓｈｏｌｄ１  ＝  調整セルの許容受信品質
ａ５＿Ｔｈｒｅｓｈｏｌｄ２  ＝  隣接セルの許容受信品質
・・（２３）
【００９５】
ここで、基準セルに関する式（２２）については、ａ５＿Ｔｈｒｅｓｈｏｌｄ１の設定は必須であるが、ａ５＿Ｔｈｒｅｓｈｏｌｄ２の設定は必要な場合に行われればよい。
また、調整セルに関する式（２３）については、ａ４＿Ｔｈｒｅｓｈｏｌｄの設定は必須であるが、ａ５＿Ｔｈｒｅｓｈｏｌｄ１の設定は必要な場合に行われればよい。また、これについて、ａ５＿Ｔｈｒｅｓｈｏｌｄ１の設定が行われるときに、さらに、ａ５＿Ｔｈｒｅｓｈｏｌｄ２の設定は必要な場合に行われればよい。
【００９６】
この例のように、各セル（本実施形態では、セルＡ、セルＢ）で接続されている端末装置における受信品質と、基準セル（本実施形態では、セルＡ）の期待受信品質を基準として判定閾値決定部１０１で決定された閾値と、隣接セルや調整セルの許容受信品質を、各セル（本実施形態では、セルＡ、セルＢ）に関する測定情報通知の条件式に適用することで、受信品質不足によるハンドオーバの失敗が発生しない範囲で、負荷分散の効果を得ることができる。
【００９７】
以上のように、この例に係る通信制御装置１では、ハンドオーバを実施する基準セル（本実施形態では、セルＡ）と調整セル（本実施形態では、セルＢ）のペアにおいて、調整セルに接続している端末装置における基地局装置への測定結果の通知条件として、調整セルに接続されている端末装置において測定した調整セルの受信品質が最低限の通信を許容する調整セルの許容受信品質より小さく、且つ、調整セルに接続されている端末装置において測定した基準セルの受信品質が、最低限の通信を許容する隣接セルの許容受信品質より大きいという条件を使用する。
【００９８】
［第２実施形態］
本実施形態に係る無線通信システムの概略的な構成は図１に示されるものと同様であり、本実施形態に係る通信制御装置１の概略的な構成は図２に示されるものと同様である。
このため、本実施形態では、図１および図２を参照して、説明する。
また、本実施形態では、第１実施形態とは異なる点について詳しく説明する。
【００９９】
本実施形態では、端末装置３−１〜３−Ｍは、いずれかのセル装置２−１〜２−Ｎに接続されている状態において、例えば、定期的なタイミングなどで、あらかじめ定められた測定情報を基地局装置（本実施形態では、セル装置２−１〜２−Ｍ）に無線送信する。そして、この基地局装置は、この測定情報を受信すると、受信した測定情報に基づいて、この端末装置３−１〜３−Ｍを他のセル装置２−１〜２−Ｎに接続する状態へ移行させる（ハンドオーバさせる）か否かを判定し、ハンドオーバさせることを判定した場合には、この端末装置３−１〜３−Ｍに対してハンドオーバすることを指示する信号を無線送信する。この端末装置３−１〜３−Ｍは、この信号を受信したことに応じて、ハンドオーバを実行する。
【０１００】
つまり、第１実施形態では、端末装置３−１〜３−Ｍが所定の測定情報を基地局装置に送信することを判定することにより、同時に、ハンドオーバを実施するが、本実施形態では、端末装置３−１〜３−Ｍは、測定情報を基地局装置に送信し、基地局装置（本実施形態では、セル装置２−１〜２−Ｍ）が受信した測定情報に基づいてハンドオーバさせるか否かを判定する。
そして、本実施形態では、ハンドオーバの判定の条件として、第１実施形態において端末装置３−１〜３−Ｍによる測定情報の送信条件として示したものと同様な条件を用いる。
【０１０１】
一例として、閾値変換部１０２は、基地局装置（本実施形態では、セル装置２−１〜２−Ｍ）により測定情報に基づいてハンドオーバの判定を行う条件式として、式（１６）や式（１７）を決定し、決定した条件式の情報を設定情報として通信部１０３−１〜１０３−Ｎに出力する。
なお、閾値変換部１０２は、基準セル（本実施形態では、セルＡ）に関する条件式の情報（設定情報Ａ）を対応するセルＡの通信部１０３−１（通信部Ａ）に出力し、調整セル（本実施形態では、セルＢ）に関する条件式の情報（設定情報Ｂ）を対応するセルＢの通信部１０３−２（通信部Ｂ）に出力する。
【０１０２】
各通信部１０３−１〜１０３−Ｎは、閾値変換部１０２から入力された設定情報を、それぞれに対応するセル装置２−１〜２−Ｎに送信する。
具体例として、通信部１０３−１（通信部Ａ）は、設定情報Ａを、対応するセル装置２−１（セル装置Ａ）に送信し、通信部１０３−２（通信部Ｂ）は、設定情報Ｂを、対応するセル装置２−２（セル装置Ｂ）に送信する。
【０１０３】
そして、本実施形態では、各セル装置２−１〜２−Ｎは、対応する各通信部１０３−１〜１０３−Ｎから受信した設定情報をメモリに記憶して、当該設定情報に基づいてハンドオーバの判定を行うようにする。
具体例として、基準セルのセル装置Ａでは基準セルに関する設定情報Ａの条件式に基づいてハンドオーバの判定を行い、調整セルのセル装置Ｂでは調整セルに関する設定情報Ｂの条件式に基づいてハンドオーバの判定を行う。
【０１０４】
このように、本実施形態では、基地局装置（本実施形態では、セル装置２−１〜２−Ｍ）において、端末装置３−１〜３−Ｍから受信した測定情報について、特定の条件（設定情報により規定される条件）を満たした場合に、当該端末装置３−１〜３−Ｍに指示を通知して、当該端末装置３−１〜３−Ｍによりハンドオーバを実行させる。
【０１０５】
本実施形態のように、各セル（本実施形態では、セルＡ、セルＢ）で接続されている端末装置における基準セル（本実施形態では、セルＡ）に関する受信品質と、基準セル（本実施形態では、セルＡ）の期待受信品質を基準として判定閾値決定部１０１で決定された閾値を、各セル（本実施形態では、セルＡ、セルＢ）に関するハンドオーバの判定の条件式に適用することで、不要なハンドオーバの発生を抑えつつ、基準セル（本実施形態では、セルＡ）の期待受信品質に応じた負荷分散効果を得ることができる。
【０１０６】
なお、第１実施形態の場合と同様に、条件式の全体の情報を通信せずに、条件式のうちの一部の値以外の情報をあらかじめ基地局装置（本実施形態では、セル装置２−１〜２−Ｍ）に設定しておいて、いずれの条件式を使用するかを特定する情報や当該一部の値の情報を通信制御装置１から基地局装置に送信してもよい。
【０１０７】
以上のように、本実施形態に係る通信制御装置１では、ハンドオーバを実施する基準セル（本実施形態では、セルＡ）と調整セル（本実施形態では、セルＢ）のペアにおいて、基準セルから調整セルへのハンドオーバの実施を決定する条件として、基準セルの受信品質を基準とした判定閾値より、基準セルに接続されている端末装置から通知される基準セルの受信品質が小さいという条件を使用し、また、調整セルから基準セルへのハンドオーバの実施を決定する条件として、基準セルの受信品質を基準とした判定閾値より、調整セルに接続されている端末装置から通知される基準セルの受信品質が大きいという条件を使用する。
【０１０８】
＜第２実施形態における他の例＞
以下で、他の例について説明する。
第１実施形態の場合と同様に、他の例として、上記した式（１６）と式（１７）の代わりに、式（２０）と式（２１）を用いることもできる。
【０１０９】
この例のように、各セル（本実施形態では、セルＡ、セルＢ）で接続されている端末装置における受信品質と、基準セル（本実施形態では、セルＡ）の期待受信品質を基準として判定閾値決定部１０１で決定された閾値と、隣接セルや調整セルの許容受信品質を、各セル（本実施形態では、セルＡ、セルＢ）に関するハンドオーバの判定の条件式に適用することで、受信品質不足によるハンドオーバの失敗が発生しない範囲で、負荷分散の効果を得ることができる。
【０１１０】
［第３実施形態］
本実施形態に係る無線通信システムの概略的な構成は図１に示されるものと同様であり、本実施形態に係る通信制御装置１の概略的な構成は図２に示されるものと同様である。
このため、本実施形態では、図１および図２を参照して、説明する。
また、本実施形態では、第１実施形態または第２実施形態と同様な構成を有しており、さらに、セル選択機能の構成について特定するものである。
以下では、本実施形態に係るセル選択機能について詳しく説明する。
【０１１１】
セル選択機能は、端末装置３−１〜３−Ｍにおいて、接続するセル１１−１〜１１−Ｎ（セル装置２−１〜２−Ｎ）を決定する機能である。
本実施形態では、端末装置３−１〜３−Ｍは、いずれのセル装置２−１〜２−Ｎにも接続されていない状態において、接続するセル装置２−１〜２−Ｎを選択する。これにより、この端末装置３−１〜３−Ｍは、選択したセル装置２−１〜２−Ｎに接続され、該当する基地局装置（本実施形態では、当該セル装置２−１〜２−Ｎ）により管理される。
【０１１２】
通信制御装置１の閾値変換部１０２は、入力される情報に基づいて、式（２４）を、基準セル（本実施形態では、セルＡ）におけるセル選択の条件式として決定する。
ここで、基準セルの判定閾値は、式（１４）に示されるものと同じである。
【０１１３】
（基準セルにおけるセル選択の条件式）
ある端末装置が基準セルのセル装置から受信した信号の受信品質
＞  基準セルの判定閾値
・・（２４）
【０１１４】
閾値変換部１０２は、端末装置３−１〜３−Ｍによりセル選択を行う条件式として、式（２４）を決定し、決定した条件式の情報を設定情報として通信部１０３−１〜１０３−Ｎに出力する。
【０１１５】
ここで、本実施形態に係るセル選択に関する設定情報は、例えば、第１実施形態に係る設定情報あるいは第２実施形態に係る設定情報に含められてもよく、または、第１実施形態に係る設定情報あるいは第２実施形態に係る設定情報とは別の情報として処理（通信など）されてもよい。
【０１１６】
各通信部１０３−１〜１０３−Ｎは、閾値変換部１０２から入力された設定情報を、それぞれに対応するセル装置２−１〜２−Ｎに送信する。
【０１１７】
そして、本実施形態では、各セル装置２−１〜２−Ｎは、対応する各通信部１０３−１〜１０３−Ｎから受信した設定情報を、端末装置に対して無線送信する。そして、端末装置は、セル装置２−１〜２−Ｎから受信した設定情報をメモリに記憶しておき、以降にセル選択を行うときには、当該設定情報に基づいてセル選択を行うようにする。
【０１１８】
本実施形態では、端末装置３−１〜３−Ｍにおいて、セル選択に関する特定の条件（設定情報により規定される条件）を満たした場合に、セル選択を行う。
具体例として、端末装置３−１〜３−Ｍは、式（２４）の条件式が満たされたことを判定した場合に、基準セルを接続対象として選択し、基準セルのセル装置に接続するように処理を行う。
【０１１９】
ここで、本実施形態では、式（２４）に示される条件式の情報を設定情報として、通信制御装置１の通信部１０３−１〜１０３−Ｎから基地局装置（本実施形態では、セル装置２−１〜２−Ｎ）や端末装置３−１〜３−Ｍに通知するが、他の構成が用いられてもよい。
【０１２０】
他の構成の一例として、基準セルの判定閾値を除いて、式（２４）に示される条件式を通信制御装置１と基地局装置（本実施形態では、セル装置２−１〜２−Ｎ）と端末装置３−１〜３−Ｍとの間で事前に定めて、この条件式の情報を通信制御装置１と基地局装置（本実施形態では、セル装置２−１〜２−Ｎ）と端末装置３−１〜３−Ｍにあらかじめ記憶しておき、そして、通信制御装置１の通信部１０３−１〜１０３−Ｎから基地局装置（本実施形態では、セル装置２−１〜２−Ｎ）や端末装置３−１〜３−Ｍに、対応する条件式（使用する条件式）を識別する情報および判定閾値（基準セルの判定閾値）の情報を設定情報として、通知してもよい。この場合、基地局装置（本実施形態では、セル装置２−１〜２−Ｎ）や端末装置３−１〜３−Ｍでは、通知された条件式を識別する情報に基づいて使用する条件式を決定することができ、決定した条件式において、通知された判定閾値（基準セルの判定閾値）を代入することにより、使用する条件式（判定閾値が定まったもの）の情報を得ることができる。
なお、使用する条件式が一定に定められている場合には、条件式（使用する条件式）を識別する情報は用いられなくてもよい。
【０１２１】
具体例として、ＬＴＥの場合には、セル選択の条件式が定められており、これを利用して、式（２５）を用いて設定情報を定めることもできる。
ここで、ＱｑｕａｌｍｉｎおよびＱｑｕａｌｍｉｎｏｆｆｓｅｔは式（１２）の条件式に表されるものである。この例では、式（１２）の条件式の情報が、あらかじめ、通信制御装置１と基地局装置（本実施形態では、セル装置２−１〜２−Ｎ）と端末装置３−１〜３−Ｍに設定される。
【０１２２】
（基準セルにおけるセル選択に関する設定）
Ｑｑｕａｌｍｉｎ  ＋  Ｑｑｕａｌｍｉｎｏｆｆｓｅｔ  ＝  基準セルの判定閾値
・・（２５）
【０１２３】
本実施形態では、基準セルの期待受信品質に応じたセル選択を実現することができる。
また、本実施形態に係る端末装置３−１〜３−Ｍにおけるセル選択の機能と、第１実施形態に係る端末装置３−１〜３−Ｍにおける測定情報通知の機能あるいは第２実施形態に係る基地局装置（本実施形態では、セル装置２−１〜２−Ｎ）におけるハンドオーバ判定の機能とを連動することで、不必要なハンドオーバを抑制することができる。
ここで、本実施形態では、セル選択に関する条件式で使用する値（基準セルの判定閾値）と、測定情報通知或いはハンドオーバ判定に関する条件式で使用する値（基準セルの判定閾値）とをそろえている。
【０１２４】
具体例として、このような連動が無い場合には、ある端末装置がセル選択機能により負荷分散効果が得られるセルに接続（ＬＴＥでは、ＲＲＣ＿ＩＤＬＥ状態）されても、通信を始める際（ＬＴＥでは、ＲＲＣ＿ＣＯＮＮＥＣＴＥＤ状態に移行）には、負荷分散効果が得られないセルにすぐにハンドオーバする事象が発生する可能性が考えられる。このような事象は、セル端（ハンドオーバ境界）に存在する端末装置でよく発生し得る。
但し、このような連動が無い場合においても、本実施形態に係るセル選択では、基準セルの期待受信品質に応じたセル選択を行うという点で、効果が得られる。
【０１２５】
以上のように、本実施形態に係る通信制御装置１では、基準セル（本実施形態では、セルＡ）の受信品質を基準とした判定閾値（基準セルの判定閾値）を、基準セルにおけるセル選択の閾値として設定する。
【０１２６】
本実施形態に係る通信制御装置１によると、基準セルの判定閾値をセル選択に適用することにより、受信品質を一定に保ち、端末装置３−１〜３−Ｍを負荷分散効果が得られるセルに接続させることができる。また、本実施形態に係るセル選択に関する閾値を、第１実施形態に係る測定情報通知に関する閾値あるいは第２実施形態に係るハンドオーバ判定に関する閾値と合わせて適用することにより、端末装置３−１〜３−Ｍがセル選択の直後に他のセルに接続することを低減させる（好ましくは、防止する）ことができる。また、例えば、セル選択の判定を行うためのパラメータの設定を、セルの負荷状況やハンドオーバの失敗率などに応じて実施することが可能である。
【０１２７】
［第４実施形態］
本実施形態に係る無線通信システムの概略的な構成は図１に示されるものと同様であり、本実施形態に係る通信制御装置１の概略的な構成は図２に示されるものと同様である。
このため、本実施形態では、図１および図２を参照して、説明する。
また、本実施形態では、第１実施形態、第２実施形態または第３実施形態と同様な構成を有しており、さらに、異バンド／異システムのサーチ機能の構成について特定するものである。
以下では、本実施形態に係る異バンド／異システムのサーチ機能について詳しく説明する。
【０１２８】
異バンドサーチでは、例えば、８００ＭＨｚと１．５ＧＨｚのように同一のシステムにおいて異なるバンドがあり、端末装置３−１〜３−Ｍによる通信に使用するバンドを選択する。
異システムサーチでは、例えば、ＬＴＥのシステムとＣＤＭＡのシステムのように異なるシステムがあり、端末装置３−１〜３−Ｍによる通信に使用するシステムを選択する。
【０１２９】
なお、以下では、異バンドサーチと異システムサーチをまとめて異バンド／異システムサーチとして説明するが、本実施形態の構成は、例えば、異バンドサーチと異システムサーチのうちのいずれか一方のみに適用されてもよく、または、異バンドサーチと異システムサーチの両方に適用されてもよい。
【０１３０】
異バンド／異システムサーチでは、端末装置３−１〜３−Ｍにおいて、特定の条件（設定情報により規定される条件）を満たした際に、そのときの測定情報を基地局装置（本実施形態では、セル装置２−１〜２−Ｎ）に通知する。そして、このような測定情報の通知が行われることに応じて、基地局装置（本実施形態では、セル装置２−１〜２−Ｎ）から、この特定の条件を満たした端末装置３−１〜３−Ｍに対して、異バンド／異システムの測定開始を指示する。これにより、この端末装置３−１〜３−Ｍでは、異バンド／異システムサーチを行う。
【０１３１】
通信制御装置１の閾値変換部１０２は、入力される情報に基づいて、式（２６）を、端末装置３−１〜３−Ｍにおける測定情報通知（異バンド／異システムサーチに関する測定情報通知）の条件式として決定する。
ここで、基準セルの判定閾値は、式（１４）に示されるものと同じである。
【０１３２】
（基準セルにおける異バンド／異システムサーチの条件式）
基準セルのセル装置に接続している端末装置が当該基準セルのセル装置から受信した信号の受信品質  ＜  基準セルの判定閾値  ＋  ｏｆｆｓｅｔ
・・（２６）
【０１３３】
なお、ｏｆｆｓｅｔとしては、様々な値が用いられてもよく、例えば、固定の値が用いられてもよく、または、通信制御装置１の外部の装置から入力される値が用いられてもよい。
具体的には、例えば、固定の値のｏｆｆｓｅｔが用いられる場合には、その値があらかじめ通信制御装置１の閾値変換部１０２などのメモリに記憶される。また、外部から入力される値のｏｆｆｓｅｔが用いられる場合には、その値が外部の装置から通信制御装置１に入力されて当該通信制御装置１の閾値変換部１０２に入力される。
【０１３４】
閾値変換部１０２は、端末装置３−１〜３−Ｍにより測定情報通知（異バンド／異システムサーチに関する測定情報通知）を行う条件式として、式（２６）を決定し、決定した条件式の情報を設定情報として通信部１０３−１〜１０３−Ｎに出力する。
【０１３５】
ここで、本実施形態に係る測定情報通知（異バンド／異システムサーチに関する測定情報通知）に関する設定情報は、例えば、第１実施形態に係る設定情報、第２実施形態に係る設定情報あるいは第３実施形態に係る設定情報に含められてもよく、または、第１実施形態に係る設定情報、第２実施形態に係る設定情報あるいは第３実施形態に係る設定情報とは別の情報として処理（通信など）されてもよい。
【０１３６】
各通信部１０３−１〜１０３−Ｎは、閾値変換部１０２から入力された設定情報を、それぞれに対応するセル装置２−１〜２−Ｎに送信する。
【０１３７】
そして、本実施形態では、各セル装置２−１〜２−Ｎは、対応する各通信部１０３−１〜１０３−Ｎから受信した設定情報を、自己に接続されている端末装置に対して無線送信する。そして、端末装置は、自己が接続されているセル装置２−１〜２−Ｎから受信した設定情報をメモリに記憶して、当該設定情報に基づいて測定情報通知（異バンド／異システムサーチに関する測定情報通知）を行うようにする。
【０１３８】
本実施形態では、端末装置３−１〜３−Ｍにおいて、測定情報通知（異バンド／異システムサーチに関する測定情報通知）に関する特定の条件（設定情報により規定される条件）を満たした場合に、測定情報通知（異バンド／異システムサーチに関する測定情報通知）を行う。
具体例として、端末装置３−１〜３−Ｍは、式（２６）の条件式が満たされたことを判定した場合に、測定情報通知（異バンド／異システムサーチに関する測定情報通知）を行う。
【０１３９】
ここで、本実施形態では、式（２６）に示される条件式の情報を設定情報として、通信制御装置１の通信部１０３−１〜１０３−Ｎから基地局装置（本実施形態では、セル装置２−１〜２−Ｎ）や端末装置３−１〜３−Ｍに通知するが、他の構成が用いられてもよい。
【０１４０】
他の構成の一例として、基準セルの判定閾値（または、基準セルの判定閾値とｏｆｆｓｅｔ）を除いて、式（２６）に示される条件式を通信制御装置１と基地局装置（本実施形態では、セル装置２−１〜２−Ｎ）と端末装置３−１〜３−Ｍとの間で事前に定めて、この条件式の情報を通信制御装置１と基地局装置（本実施形態では、セル装置２−１〜２−Ｎ）と端末装置３−１〜３−Ｍにあらかじめ記憶しておき、そして、通信制御装置１の通信部１０３−１〜１０３−Ｎから基地局装置（本実施形態では、セル装置２−１〜２−Ｎ）や端末装置３−１〜３−Ｍに、対応する条件式（使用する条件式）を識別する情報および判定閾値（基準セルの判定閾値）の情報（または、判定閾値とｏｆｆｓｅｔの情報）を設定情報として、通知してもよい。この場合、基地局装置（本実施形態では、セル装置２−１〜２−Ｎ）や端末装置３−１〜３−Ｍでは、通知された条件式を識別する情報に基づいて使用する条件式を決定することができ、決定した条件式において、通知された判定閾値（基準セルの判定閾値）を代入すること（または、通知された判定閾値とｏｆｆｓｅｔを代入すること）により、使用する条件式（判定閾値（または、判定閾値とｏｆｆｓｅｔ）が定まったもの）の情報を得ることができる。
なお、使用する条件式が一定に定められている場合には、条件式（使用する条件式）を識別する情報は用いられなくてもよい。
【０１４１】
具体例として、ＬＴＥの場合には、Ａ２などのように、測定情報通知の条件式が定められており、これを利用して、式（２７）を用いて設定情報を定めることもできる。
ここで、ａ２＿Ｔｈｒｅｓｈｏｌｄは式（２）の条件式に表されるものである。この例では、式（２）の条件式の情報が、あらかじめ、通信制御装置１と基地局装置（本実施形態では、セル装置２−１〜２−Ｎ）と端末装置３−１〜３−Ｍに設定される。
【０１４２】
（基準セルにおける異バンド／異システムサーチに関する設定）
ａ２＿Ｔｈｒｅｓｈｏｌｄ  ＝  基準セルの判定閾値  ＋  ｏｆｆｓｅｔ
・・（２７）
【０１４３】
以上のように、本実施形態に係る通信制御装置１では、基準セル（本実施形態では、セルＡ）に接続している端末装置における基地局装置（本実施形態では、セル装置２−１〜２−Ｎ）への測定結果通知（本実施形態では、異バンド／異システムサーチに関する測定結果通知）の条件として、基準セルの受信品質を基準とした判定閾値（本実施形態では、基準セルの判定閾値）に一定値（本実施形態では、ｏｆｆｓｅｔ）を加算したものより測定した基準セルの受信品質が小さいという条件を使用する。
【０１４４】
本実施形態に係る通信制御装置１によると、基準セルの判定閾値を異バンド／異システムサーチに適用することにより、端末装置３−１〜３−Ｍにおける不要な測定を抑えることができ、端末装置３−１〜３−Ｍにおける消費電力の低減を実現することができる。また、例えば、異バンド／異システムサーチを行うためのパラメータの設定を、セルの負荷状況やハンドオーバの失敗率などに応じて実施することが可能である。
【０１４５】
なお、本実施形態に係る異バンド／異システムサーチは、例えば、基準セル（本実施形態では、セルＡ）とその隣接セル（本実施形態では、例えば、セルＢなど）とが、異なるバンドのセルである場合、または、異なるシステムのセルである場合に、特に有効であると考えられる。
【０１４６】
また、本実施形態に係る異バンド／異システムサーチの構成は、例えば、第１実施形態に係る測定情報通知の構成、第２実施形態に係るハンドオーバ判定の構成、あるいは第３実施形態に係るセル選択の構成と連動させると、より好ましいが、このような連動が無い場合においても有効なものである。
【０１４７】
（以上の実施形態のまとめ）
以上、本発明の実施形態について図面を参照して詳述したが、具体的な構成はこの実施形態に限られるものではなく、本発明の要旨を逸脱しない範囲の設計変更等も含まれる。
【０１４８】
また、以上に示した各実施形態に係る各装置の機能（例えば、通信制御装置１における判定閾値決定部１０１、閾値変換部１０２あるいは通信部１０３−１〜１０３−Ｎのうちの１つ以上の機能）を実現するためのプログラムをコンピュータ読み取り可能な記録媒体に記録して、この記録媒体に記録されたプログラムをコンピュータシステムに読み込ませ、実行することにより、処理を行ってもよい。
【０１４９】
なお、ここで言う「コンピュータシステム」とは、オペレーティング・システム（Ｏｐｅｒａｔｉｎｇ  Ｓｙｓｔｅｍ；ＯＳ）や周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【０１５０】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１５１】
１…通信制御装置、２−１〜２−Ｎ…セル装置、３−１〜３−Ｍ…端末装置、１１−１〜１１−Ｎ…セル（通信エリア）、１０１…判定閾値決定部、１０２…閾値変換部、１０３−１〜１０３−Ｎ…通信部、１１１…条件設定部
【図１】
2013077964.tif 000003
【図２】
2013077964.tif 000004